(57)【要約】【課題】  湯と水の双方を吐出させることのできる混合水栓柱として、安価であって、しかも需要者のニーズに幅広く応えることのできるものを提供する【解決手段】  本発明による混合水栓柱形成用水栓柱連結具3は、１つの束になるように配置した１組の給水用水栓柱2Aおよび給湯用水栓柱2Bの上端部にまたがって嵌め被せられる上部連結キャップ30Aと、同下端部にまたがって嵌め被せられる下部連結キャップ30Bとよりなる。また、本発明による混合水栓柱11は、１つの束になるように配置した１組の給水用水栓柱2Aおよび給湯用水栓柱2Bが上記水栓柱連結具3によって連結され、上下両端が外方に開口するように各組の給水用水栓柱2Aおよび給湯用水栓柱2Bに内蔵された立上り管の下端に、給水管4A、給湯管4Bがそれぞれ接続され、同立上り管の上端に、混合水栓5の水導入口51A、湯導入口51Bがそれぞれ接続されてなる。【選択図】  図１
2006283429.tif 000002
【特許請求の範囲】
【請求項１】
１つの束になるように配置した１組または複数組の給水用水栓柱(2A)および給湯用水栓柱(2B)の上端部にまたがって嵌め被せられる上部連結キャップ(30A)(30C)と、同下端部にまたがって嵌め被せられる下部連結キャップ(30B)とよりなることを特徴とする、混合水栓柱形成用水栓柱連結具。
【請求項２】
各水栓柱(2A)(2B)が、それぞれ合成樹脂によって形成された、断面方形の筒状ケーシング(21)と、ケーシング(21)の上端部に嵌め被せられた上蓋(22)と、ケーシング(21)の下端部に嵌め被せられた下蓋(23)とを備えているものであって、
上部連結キャップ(30A)が、全ての水栓柱(2A)(2B)の上蓋(22)上面を覆う方形状の水平壁(31)と、水平壁(31)の周縁から下方にのびかつ上蓋(22)の側面を覆う環状垂下壁(32)と、垂下壁(32)の先端に内方突出状に形成されかつ上蓋(22)の下縁に係り止められる係合爪(33)とを備え、
下部連結キャップ(30B)が、全ての水栓柱(2A)(2B)の下蓋(23)下面を覆う方形状の水平壁(31)と、水平壁(31)の周縁から上方にのびかつ下蓋(23)の側面を覆う環状立上り壁(32)と、立上り壁(32)の先端に内方突出状に形成されかつ下蓋(23)の上縁に係り止められる係合爪(33)とを備えていることを特徴とする、請求項１記載の混合水栓柱形成用水栓柱連結具。
【請求項３】
各水栓柱(2A)(2B)が、それぞれ合成樹脂によって形成された、断面方形の筒状ケーシング(21)と、ケーシング(21)の上端部に嵌め被せられた上蓋(22)と、ケーシング(21)の下端部に嵌め被せられた下蓋(23)とを備えているものであって、
上部連結キャップ(30C)が、全ての水栓柱(2A)(2B)の上蓋(22)上面を覆う方形状の水平壁(35)、水平壁(35)の周縁のうちいずれか１辺を除く３辺から下方にのびかつ上蓋(22)の側面を覆う垂下壁(36)、および垂下壁(36)の先端から内方に突出しかつ上蓋(22)の下縁にスライド可能に係り合わせられる係合凸部(37)を備えたキャップ本体(301)と、キャップ本体(301)にこれの側方開口を塞ぐように取り付けられてキャップ本体(301)を固定する固定片(302)とを備え、
下部連結キャップが、全ての水栓柱(2A)(2B)の下蓋(23)下面を覆う方形状の水平壁、水平壁の周縁のうちいずれか１辺を除く３辺から上方にのびかつ下蓋(23)の側面を覆う立上り壁、および立上り壁の先端から内方に突出しかつ下蓋(23)の上縁にスライド可能に係り合わせられる係合凸部を備えたキャップ本体と、キャップ本体にこれの側方開口を塞ぐように取り付けられてキャップ本体を固定する固定片とを備えていることを特徴とする、請求項１記載の混合水栓柱形成用水栓柱連結具。
【請求項４】
上部連結キャップ(30A)に、シャワー(53)付き混合水栓(5)のシャワーヘッド(531)を掛け止めるためのフック(34)が形成されていることを特徴とする、請求項１〜３のいずれか１つに記載の混合水栓柱形成用水栓柱連結具。
【請求項５】
１つの束になるように配置した１組または複数組の給水用水栓柱(2A)および給湯用水栓柱(2B)が、請求項１〜４のいずれか１つに記載の水栓柱連結具(3)によって連結され、上下両端が外方に開口するように各組の給水用水栓柱(2A)および給湯用水栓柱(2B)に内蔵された立上り管の下端に、給水管(2A)、給湯管(2B)がそれぞれ接続され、同立上り管の上端に、混合水栓(5)の水導入口(51A)、湯導入口(51B)がそれぞれ接続されてなることを特徴とする、混合水栓柱。
【発明の詳細な説明】
【技術分野】
【０００１】
本発明は、湯と水を吐出させることのできる混合水栓柱、および該混合水栓柱を形成するのに用いられる水栓柱連結具に関する。
【背景技術】
【０００２】
庭や公園等の屋外に設置される従来の水栓柱は、水しか使えないため、特に寒い時期には、園芸器具、ペット、車などを洗うのに支障があった。そこで、屋外でも水と湯の両方を使える混合水栓柱が考案された。
【０００３】
この混合水栓柱は、１つの中空柱状ケーシングに給水用立上り管と給湯用立上り管とが並列状に内蔵され、各立上り管の下端に給水管、給湯管がそれぞれ接続され、各立上り管の上端に混合水栓の水導入口、湯導入口がそれぞれ接続されてなるものである（下記の特許文献１参照）。
【０００４】
しかしながら、上記の混合水栓柱の場合、ケーシングや混合水栓といった部品が専用品となり、普及率の問題もあって、値段が高かった。
また、上記の混合水栓柱では、混合水栓として２ハンドル式のものが通常用いられるが、使用者によっては、シャワー付き、シングルレバー式、サーモスタット式といった機能を有する混合水栓や、例えば外国製品のようなデザインに特徴のある混合水栓を取り付けたい場合もあると考えられる。このような需要者のニーズに対応することは可能ではあるものの、それによって更なるコストアップを招くことになる。
【特許文献１】特開２００２−３４８９２０号公報
【発明の開示】
【０００５】
本発明の目的は、湯と水の双方を吐出させることのできる混合水栓柱として、安価であって、しかも需要者のニーズに幅広く応えることのできるものを提供することにある。
【０００６】
上記の目的を達成するため、本発明は、普及品として安価に提供されている水栓柱によって１組または複数組の給水用水栓柱および給湯用水栓柱を構成し、これらの水栓柱を特定の連結具によって連結することにより混合水栓柱を形成するようにしたものである。
【０００７】
即ち、本発明による混合水栓柱形成用水栓柱連結具は、１つの束になるように配置した１組または複数組の給水用水栓柱および給湯用水栓柱の上端部にまたがって嵌め被せられる上部連結キャップと、同下端部にまたがって嵌め被せられる下部連結キャップとよりなるものである。
【０００８】
給水用水栓柱および給湯用水栓柱として所要の本数の通常の水栓柱を用意し、これらの水栓柱を、１つの束になるようにした状態で、上端部に本発明による上記水栓柱連結具の上部連結キャップを嵌め被せ、下端部に本発明による上記水栓柱連結具の下部連結キャップを嵌め被せれば、全ての水栓柱が連結一体化される。そして、各組の給水用水栓柱および給湯用水栓柱に内蔵された立上り管の下端に給水管、給湯管をそれぞれ接続し、立上り管の上端に混合水栓の水導入口、湯導入口をそれぞれ接続すれば、混合水栓柱が得られる。したがって、本発明の水栓柱連結具によれば、混合水栓柱を安価に提供することができ、また、その施工も極めて容易に行いうる。
【０００９】
さらに、本発明による水栓柱連結具を用いて給水用水栓柱および給湯用水栓柱を連結する場合には、次のような効果も得られる。即ち、複数の水栓柱を相互に連結しない独立した状態で地面に立てた場合、混合水栓の取付時や、混合水栓（特にシングルレバー式混合水栓）の操作時に、それぞれの水栓柱に対して捻れの力あるいは前後左右方向の力が加わり、それによって地面に埋まっている水栓柱の下部とその周囲の砂利、土等との間に隙間が発生するが、このような隙間があると水栓柱がぐらつき、最終的には配管に応力が集中して、配管の破損につながるおそれがある。これに対して、本発明による水栓柱連結具を用いれば、給水用水栓柱および給湯用水栓柱が、これらの上下両端部において上部連結キャップおよび下部連結キャップにより連結されるため、混合水栓の取付時や操作時に各水栓柱に対して捻れの力や前後左右方向の力が加わったとしても、水栓柱の動きが制限され、これら水栓柱の下部とその周囲の砂利、土等との間に隙間が発生し難く、したがって配管の破損も生じ難い。
【００１０】
本発明による水栓柱連結具によって連結する給水用水栓柱および給湯用水栓柱としては、現在最も普及している水栓柱、即ち、それぞれ合成樹脂によって形成された、断面方形の筒状ケーシングと、ケーシングの上端部に嵌め被せられた上蓋と、ケーシングの下端部に嵌め被せられた下蓋とを備えているものが好ましい。
【００１１】
上記のような普及品を対象とすれば、混合水栓柱のコストを極力抑えることができ、また、既存の水栓柱をそのまま給水用水栓柱として利用できる可能性も高くなるからである。
【００１２】
各水栓柱として上記構成の普及品が用いられる場合、本発明による水栓柱連結具は、例えば、上部連結キャップが、全ての水栓柱の上蓋の上面を覆う方形状の水平壁と、水平壁の周縁から下方にのびかつ上蓋の側面を覆う環状垂下壁と、垂下壁の先端に内方突出状に形成されかつ上蓋の下縁に係り止められる係合爪とを備えたものとなされ、下部連結キャップが、全ての水栓柱の下蓋の下面を覆う方形状の水平壁と、水平壁の周縁から上方にのびかつ下蓋の側面を覆う環状立上り壁と、立上り壁の先端に内方突出状に形成されかつ下蓋の上縁に係り止められる係合爪とを備えたものとなされる。
【００１３】
上下各連結キャップを上記構成を有するものとした場合、これらのキャップを、１つの束になるように配置した１組または複数組の給水用水栓柱および給湯用水栓柱の上下各端部に上方または下方から圧力を加えながら嵌め被せれば、それによって係合爪が上蓋の下縁または下蓋の上縁に係り止められ、連結作業が完了する。特に、この態様の連結キャップの場合、合成樹脂一体成形品とすることができるので、製造コストの面で有利である。
【００１４】
また、各水栓柱として前記構成の普及品が用いられる場合において、本発明による水栓柱連結具は、上部連結キャップが、全ての水栓柱の上蓋の上面を覆う方形状の水平壁、水平壁の周縁のうちいずれか１辺を除く３辺から下方にのびかつ上蓋の側面を覆う垂下壁、および垂下壁の先端から内方に突出しかつ上蓋の下縁にスライド可能に係り合わせられる係合凸部を備えたキャップ本体と、キャップ本体にこれの側方開口を塞ぐように取り付けられてキャップ本体を固定する固定片とを備え、下部連結キャップが、全ての水栓柱の下蓋の下面を覆う方形状の水平壁、水平壁の周縁のうちいずれか１辺を除く３辺から上方にのびかつ下蓋の側面を覆う立上り壁、および立上り壁の先端から内方に突出しかつ下蓋の上縁にスライド可能に係り合わせられる係合凸部を備えたキャップ本体と、キャップ本体にこれの側方開口を塞ぐように取り付けられてキャップ本体を固定する固定片とを備えているものとすることもできる。
【００１５】
上下各連結キャップを上記構成を有するものとした場合、これらのキャップのキャップ本体を、１つの束になるように配置した１組または複数組の給水用水栓柱および給湯用水栓柱の上下各端部に側方からスライドさせて嵌め被せた後、キャップ本体に固定片を取り付ければ、連結作業が完了する。この態様の連結キャップの場合、上記のように連結作業が簡単である点で特に有利である。キャップ本体に固定片を取り付ける手段は、特に限定されないが、例えば、ネジを用いれば、取付作業が容易であり、コストも抑えることができる。
【００１６】
本発明による混合水栓柱形成用水栓柱連結具において、上部連結キャップに、シャワー付き混合水栓のシャワーヘッドを掛け止めるためのフックが形成されている場合がある。
【００１７】
上記の場合、混合水栓としてシャワー付きのものを使用するときでも、別途シャワーヘッド用フックを用意する必要がなく、便利である。
【００１８】
次に、本発明による混合水栓柱は、１つの束になるように配置した１組または複数組の給水用水栓柱および給湯用水栓柱が上記の水栓柱連結具によって連結され、上下両端が外方に開口するように各組の給水用水栓柱および給湯用水栓柱に内蔵された立上り管の下端に、給水管、給湯管がそれぞれ接続され、同立上り管の上端に、混合水栓の水導入口、湯導入口がそれぞれ接続されてなるものである。
【００１９】
上記の混合水栓柱によれば、普及品である通常の水栓柱をそのまま利用して形成することができるので、従来のものと比べて大幅に価格を下げることができる。
【００２０】
しかも、上記の混合水栓柱にあっては、混合水栓は、各水栓柱に外付けされるため、任意のものを簡単に取り付けることが可能であり、余分なコストを掛けることなく需要者のニーズに幅広く応えることができる。
【００２１】
さらに、本発明の混合水栓柱によれば、水栓柱連結具によって全ての水栓柱が強固に連結されているため、混合水栓の取付や操作によって、地中に埋められた水栓柱の下部とその周囲の砂利、土等との間に隙間が発生し難く、配管の破損も生じ難い。
【発明を実施するための最良の形態】
【００２２】
図１〜３は、本発明の第１の実施形態を示すものである。これらの図において、本発明による混合水栓柱(11)は、１つの束になるように配置した１組の給水用水栓柱(2A)および給湯用水栓柱(2B)が水栓柱連結具(3)によって連結され、上下両端が外方に開口するように各組の給水用水栓柱(2A)および給湯用水栓柱(2B)に内蔵された立上り管(図示略)の下端に、給水管(4A)、給湯管(4B)がそれぞれ接続され、同立上り管の上端に、混合水栓(5)の水導入口(51A)、湯導入口(51B)がそれぞれ接続されてなる。
【００２３】
各水栓柱(2A)(2B)は、それぞれ合成樹脂によって形成された、断面方形の筒状ケーシング(21)と、ケーシング(21)の上端部に嵌め被せられた上蓋(22)と、ケーシング(21)の下端部に嵌め被せられた下蓋(23)とを備えている。ケーシング(21)の前壁の上部および下部には、それぞれ配管用貫通孔(211)(212)があけられている。なお、下部の配管用貫通孔(212)は、図１のようにケーシング(21)の前壁にあけられる他、配管方向に応じてケーシング(21)の後壁や側壁にあけられる場合もある。
【００２４】
図示は省略したが、ケーシング(21)に内蔵されている立上り管の下端は、Ｌ形管継手を介して、ケーシング(21)前壁の下部の配管用貫通孔(212)に接続されている。そして、これらの貫通孔(212)に、給水管(4A)、給湯管(4B)それぞれの先端部が接続されている。
【００２５】
立上り管の上端は、Ｌ形管継手を介してケーシング(21)前壁の上部の配管用貫通孔(211)に接続されている。そして、これらの貫通孔(211)に、クランク形管継手(6)を介して、混合水栓(5)の水導入口(51A)、湯導入口(51B)が接続されている。
【００２６】
図１では、混合水栓(5)として、１つのレバーハンドル(52)の操作により止水・吐水、温度調節および水量調節を行い得るシングルレバー式のものが用いられている。
【００２７】
水栓柱連結具(3)は、１つの束になるように配置した両水栓柱(2A)(2B)の上端部にまたがって嵌め被せられる上部連結キャップ(30A)と、同下端部にまたがって嵌め被せられる下部連結キャップ(30B)とよりなる。
【００２８】
図２および図３に示すように、上部連結キャップ(30A)は、両水栓柱(2A)(2B)の上蓋(22)上面を覆う横長方形状の水平壁(31)と、水平壁(31)の周縁から下方にのびかつ上蓋(22)の側面を覆う環状垂下壁(32)と、垂下壁(32)の先端に内方突出状に形成されかつ上蓋(22)の下縁に係り止められる係合爪(33)とを備えている。この上部連結キャップ(30A)は、合成樹脂製あって、若干の弾性を有している。係合爪(33)は、水平な上面(331)と上面(331)の先端から斜め下方にのびる傾斜面(332)とを備えた断面三角形のものである。上記キャップ(30A)を、１つの束になるように配置した両水栓柱(2A)(2B)の上蓋(22)に上方から被せて押し付けると、キャップ(30A)の係合爪(33)の傾斜面(332)が上蓋(22)の上縁に圧接されて、キャップ(30A)の垂下壁(32)が若干弾性変形して外方に広げられる。そして、キャップ(30A)の係合爪(33)が上蓋(22)の下縁を乗り越えたところで、キャップ(30A)の垂下壁(32)が復元し、それによって係合爪(33)の先端が上蓋(22)の下縁に係り止められる。
【００２９】
また、下部連結キャップ(30B)は、両水栓柱(2A)(2B)の下蓋(23)下面を覆う横長方形状の水平壁(31)と、水平壁(31)の周縁から上方にのびかつ下蓋(23)の側面を覆う環状立上り壁(32)と、立上り壁(32)の先端に内方突出状に形成されかつ下蓋(23)の上縁に係り止められる係合爪(33)とを備えている。図２からも明らかなように、下部連結キャップ(30B)は、上部連結キャップ(30A)と同一のものを上下反転させて使用しているに過ぎず、したがって、その材質、構造、取付方法についても上部連結キャップ(30A)のそれらと実質的に同じである。
【００３０】
上記の混合水栓柱(11)は、普及品である２本の水栓柱(2A)(2B)を上下２つの連結キャップ(30A)(30B)で連結することによって形成されている上、混合水栓(5)についても市販品をそのまま使用できるので、特許文献１に示す従来の混合水栓柱と比べて大幅に価格を下げることが可能となる。しかも、上記混合水栓柱(11)の施工は、前述の通り極めて容易に行うことができる。さらに、上記混合水栓柱(11)は、その下部が所要長さ分だけ地中に埋められて設置されるが、混合水栓柱(11)を構成している２本の水栓柱(2A)(2B)がこれらの上下両端部において連結キャップ(30A)(30B)により連結一体化されているので、混合水栓(5)を取り付ける際、あるいは、取り付けた混合水栓(5)のレバーハンドル(52)を操作する際に、捻れの力や前後左右の力が加えられた場合でも、各水栓柱(2A)(2B)の動きが制限され、これら水栓柱(2A)(2B)の下部とその周囲の砂利、土等との間に隙間が発生し難く、したがって配管の破損も生じ難い。
【００３１】
図４は、本発明の第２の実施形態を示すものである。この実施形態は、以下の点を除いて図１〜３に示す第１の実施形態と同じである。即ち、図４に示す混合水栓柱(12)では、混合水栓(5)としてシャワー(53)付きシングルレバー式混合水栓が用いられている。そして、上部連結キャップ(30A)に、混合水栓(5)のシャワーヘッド(531)を掛け止めるためのフック(34)が形成されている。
【００３２】
フック(34)は、断面Ｃ形の掛け止め部(341)を有するフック部材が、上部連結キャップ(30A)の垂下壁(32)にネジ（図示略）等によって取り付けられることにより形成されている。なお、フック(34)は、上部連結キャップ(30A)と一体成形にすることも可能である。また、フック(34)の位置や形状についても、図４のものには限定されず、適宜変更可能である。
【００３３】
図５〜７は、本発明の第３の実施形態を示すものである。この実施形態は、以下の点を除いて図１〜３に示す第１の実施形態と同じである。即ち、図４に示す混合水栓柱(13)では、上部連結キャップ(30C)が、キャップ本体(301)と、キャップ本体(301)に固定ネジ(7)で取り付けられる固定片(302)とで構成されている。
【００３４】
キャップ本体(301)は、合成樹脂製であって、両水栓柱(2A)(2B)の上蓋(22)上面を覆う横長方形状の水平壁(35)、水平壁(35)の周縁のうち右辺を除く３辺から下方にのびかつ上蓋(22)の側面を覆う垂下壁(36)、および垂下壁(36)の先端から内方に突出しかつ上蓋(22)の下縁にスライド可能に係り合わせられる係合凸部(37)を備えている。水平壁(35)の上面には、これの右辺部における前後幅中央に、断面半円形の上方突出部(351)が一体に形成されている。そして、この上方突出部(351)に左右方向に貫通したネジ孔(351a)があけられている。
【００３５】
固定片(302)は、キャップ本体(301)にこれの右側方開口を塞ぐように取り付けられてキャップ本体(301)を固定するように構成されている。より具体的には、固定片(302)は、合成樹脂製であって、中央に水平貫通状のネジ孔(38a)を有する垂直基部(38)と、垂直基部(38)の下端から左方に向かって短くのびる水平突出部(39)とを備えている。この固定片(302)は、水平突出部(39)の先端が給水用水栓柱(2A)における上蓋(22)の右側壁に当接させられた状態で、固定ネジ(7)を、固定片(302)の垂直基部(38)およびキャップ本体(301)の上方突出部(351)に形成されたネジ孔(38a)(351a)にまたがってねじ込むことにより、キャップ本体(301)に取り付けられるようになっている。そして、固定片(302)が上記のようにしてキャップ本体(301)に取り付けられることにより、キャップ本体(301)が両水栓柱(2A)(2B)の上端部に固定される。
【００３６】
また、図示は省略したが、下部連結キャップも、上部連結キャップ(30C)と同様（但し、上下反転）のキャップ本体(301)および固定片(302)で構成されている。但し、下部連結キャップについては、図１、２に示す第１の実施形態の下部連結キャップ(30B)で構成するようにしてもよい。
【００３７】
この実施形態の場合、上下各連結キャップのキャップ本体(301)を、１つの束になるように配置した両水栓柱(2A)(2B)の上下各蓋(22)(23)に側方からスライドさせて嵌め被せた後、キャップ本体(301)に固定片(302)を取り付ければ両水栓柱(2A)(2B)の連結が完了するので、連結作業をきわめて簡単に短時間で行うことができる。
【００３８】
図８は、本発明の第４の実施形態を示すものである。この実施形態は、以下の点を除いて図１〜３に示す第１の実施形態と同じである。即ち、図８に示す混合水栓柱(14)の場合、２組の給水用水栓柱(2A)および給湯用水栓柱(2B)の上端部が上部連結キャップ(30Aによって連結され、同下端部が下部連結キャップ（図示略）によって連結されている。そして、各組の給水用水栓柱(2A)および給湯用水栓柱(2B)に内蔵された立上り管の下端に、給水管、給湯管（図示略）がそれぞれ接続され、同立上り管の上端に、シングルレバー式混合水栓(5)の水導入口(51A)、湯導入口(51B)がそれぞれクランク形管継手(6)を介して接続されている。
【００３９】
一方の組の給水用水栓柱(2A)および給湯用水栓柱(2B)が前後に並ぶように配置され、これらの右側に隣接するように、他方の組の給水用水栓柱(2A)および給湯用水栓柱(2B)が前後に並ぶように配置されている。よって、混合水栓柱(14)全体として見た場合には、図８に示すように、平面より見てほぼ正方形をなすように構成され、２つの組の水栓柱(2A)(2B)の混合水栓(5)は左右反対方向を向くように配置されている。また、これに応じて、上下各連結キャップ(30A)の水平壁(31)も、正面より見て正方形となされている。上記の混合水栓柱(14)の場合、例えば一度に数人が使用するような公共スペースに設置すると便利である。
【００４０】
図９は、本発明の第５の実施形態を示すものである。この実施形態は、以下の点を除いて図１〜３に示す第１の実施形態と同じである。即ち、図９の混合水栓柱(15)では、３組の給水用水栓柱(2A)および給湯用水栓柱(2B)の上端部が上部連結キャップ(3A)によって連結され、同下端部が下部連結キャップ（図示略）によって連結されている。そして、各組の給水用水栓柱(2A)および給湯用水栓柱(2B)に内蔵された立上り管の下端に、給水管、給湯管（図示略）がそれぞれ接続され、同立上り管の上端に、シングルレバー式混合水栓(5)の水導入口(51A)、湯導入口(51B)がそれぞれクランク形管継手(6)を介して接続されている。
【００４１】
１つの組の給水用水栓柱(2A)および給湯用水栓柱(2B)が前後に並ぶように配置され、これらの右側に隣接するように、もう１組の給水用水栓柱(2A)および給湯用水栓柱(2B)が前後に並ぶように配置され、更に両組の水栓柱(2A)(2B)の前側に隣接するように、残りの組の給水用水栓柱(2A)および給湯用水栓柱(2B)が左右に並ぶように配置されている。したがって、混合水栓柱(15)全体として見た場合には、図９に示すように、平面より見て前後に長い方形をなすように構成され、３つの組の水栓柱(2A)(2B)の混合水栓(5)はそれぞれ左、右、前を向くように配置されている。また、これに応じて、上下各連結キャップ(30A)の水平壁(31)も、正面より見て前後に長い方形となされている。この混合水栓柱(15)も、一度に３人が使用できるので、公共スペース等に設置すると便利である。
【図面の簡単な説明】
【００４２】
【図１】本発明の第１の実施形態に係る混合水栓柱の斜視図である。
【図２】図１の混合水栓柱の上部および下部を拡大して示す部分省略正面図である。
【図３】図２のIII−III線に沿う混合水栓柱の垂直断面図である。
【図４】本発明の第２の実施形態に係る混合水栓柱の斜視図である。
【図５】本発明の第３の実施形態に係る混合水栓柱の上部を拡大して示す部分正面図である。
【図６】図５のVI−III線に沿う混合水栓柱の垂直断面図である。
【図７】図５の混合水栓柱の上部を分解して示す斜視図である。
【図８】本発明の第４の実施形態に係る混合水栓柱の平面図である。
【図９】本発明の第５の実施形態に係る混合水栓柱の平面図である。
【符号の説明】
【００４３】
(11)(12)(13)(14)(15)：混合水栓柱
(2A)：給水用水栓柱
(2B)：給湯用水栓柱
(21)：ケーシング
(22)：上蓋
(23)：下蓋
(3)：水栓柱連結具
(30A)：上部連結キャップ
(30B):下部連結キャップ
(31)：水平壁
(32)：環状垂下壁、環状立上り壁
(33)：係合爪
(34)：シャワーヘッド用フック
(30C)：上部連結キャップ
(301)：キャップ本体
(35)：水平壁
(36)：垂下壁、立上り壁
(37)：係合凸部
(302)：固定片
(4A)：給水管
(4B)：給湯管
(5)：混合水栓
(51A)：水導入口
(51B)：湯導入口
(53)：シャワー
(531)：シャワーヘッド
【図１】
2006283429.tif 000003
【図２】
2006283429.tif 000004
【図３】
2006283429.tif 000005
【図４】
2006283429.tif 000006
【図５】
2006283429.tif 000007
【図６】
2006283429.tif 000008
【図７】
2006283429.tif 000009
【図８】
2006283429.tif 000010
【図９】
2006283429.tif 000011